(57)【要約】【課題】プール昇降可能に設置される可動床により上り下りするためプールサイドに設置され、可動床の昇降に従動して上下に旋回する可動階段において、手すりを設けても設けなくてもよく、設ける場合でも踏み板ごとに縦杆を設ける必要がなく、また手すりと踏み板を連結することなく、手すりを側方に押し込むようなことがあっても踏み板が捩れて上り下りに支障を来たすことがないようにする。【解決手段】踏み板６を一定間隔で、その両端において長杆３ａ、３ｂに回動可能に軸着して長杆３ａ、３ｂと踏み板６で平行四辺形のリンク機構を構成する。長杆３ａの下端には可動床２に着床するコロ７が軸着され、可動床２の昇降に従動して可動階段１が持上げられ或いは下げられる。長杆３ａにはまた、適所に支柱９を解して手すり８が取付けられる。【選択図】図１
2005273357.tif 000002
【特許請求の範囲】
【請求項１】
プールに昇降可能に設置される可動床に上り下りするためプールサイドに設置され、可動床の昇降に従動して上下に旋回する可動階段であって、左右両側において各一端をプールサイドに回動可能に軸着した二本の長杆と、両端がそれぞれ二本の長杆に一定間隔で連結され、長杆と共に平行四辺形のリンク機構を構成する踏み板よりなることを特徴とする可動階段。
【請求項２】
各長杆を回動可能に軸着する横軸の軸受がプールサイドに埋設される袋状又はスリーブ状のナットに捩じ込まれるボルトによって取付けられることを特徴とする請求項１記載の可動階段。
【発明の詳細な説明】
【技術分野】
【０００１】
本発明は、プールに昇降可能に設置される可動床に上り下りするためプールサイドに設けられる可動階段に関する。
【背景技術】
【０００２】
この種の可動階段として下記特許文献１には、プールサイドに向かってアンカーにより固定される固定フレームと、固定フレームのプール側上下端に回動自在に軸支される上下一対の手すりフレームと、上下の手すりフレームを一定間隔で連結し、上下の手すりフレームと共に平行四辺形のリンク機構を構成する縦フレームと、各縦フレームの下端に縦フレームと直交して中央部を固着した踏み板と、下側の手すりフレーム下端に軸支され、プールに昇降可能に設置される可動床に着床するコロよりなり、可動床の昇降に従動して持上げられ或いは下げられる可動階段が開示されている。
【特許文献１】特開２０００−１０４４１３号
【発明の開示】
【発明が解決しようとする課題】
【０００３】
上述する可動階段は、その機構上、各踏み板ごとに立設される縦フレームと、該縦フレーム上端を連結する手すりフレームとよりなる手すりが必要であり、また上側の手すりフレームが側方に内向き或いは外向きに押し込まれると、縦フレームが捩れ、踏み板も捩れて上り下りしにくくなることが予想される。
【０００４】
また固定フレームは、プールサイドにアンカーにて固定されているため可動階段を所望の位置に移動させることができない。
【０００５】
本発明の第１の目的は、プール昇降可能に設置される可動床により上り下りするためプールサイドに設置され、可動床の昇降に従動して上下に旋回する可動階段において、手すりを設けなくてもよいし、設けてもよく、設ける場合、手すりが側方に押し込まれるようなことがあっても踏み板が捩れて上り下りに支障を来たすことがないようにするものであり、第２の目的は、可動階段を更にプールサイドの適所に容易に移動させることができるようにするものである。
【課題を解決するための手段】
【０００６】
請求項１に係る発明は、第１の目的を達成する可動階段に関するもので、プールに昇降可能に設置される可動床に上り下りするためプールサイドに設置され、可動床の昇降に従動して上下に旋回する可動階段であって、左右両側において各一端をプールサイドに回動可能に軸着した二本の長杆と、両端がそれぞれ二本の長杆に一定間隔で連結され、長杆と共に平行四辺形のリンク機構を構成する踏み板よりなることを特徴とするものであり、
請求項２に係る発明は、第２の目的を達成する可動階段に関するもので、請求項１に係る発明の可動階段において、各長杆を回動可能に軸着する横軸の軸受がプールサイドに埋設される袋状又はスリーブ状のナットに捩じ込まれるボルトによって取付けられることを特徴とする。
【発明の効果】
【０００７】
請求項１に係る発明によると、手すりは設けても設けなくてもよく、設ける場合でも踏み板ごとに縦杆を設ける必要がないことはもちろん、手すりと踏み板を連結する必要がないため、手すりを側方に押し込むようなことがあっても、それによって踏み板が捩れて上り下りに支障を来たさないようにすることができる。しかも長杆と踏み板によって構成される平行四辺形は、平行四辺形を構成するリンク機構の各リンクの長さが短いため変形しにくく、したがって可動床の昇降に従動する可動階段の旋回が無理なくスムースに行えるようになる。
【０００８】
請求項２に係る発明によると、ボルトを弛めてナットから取外すことにより可動階段を容易に取外すことができ、別の箇所のナットに捩じ込むことにより可動階段を別の箇所に容易に取付けることができる。
【発明を実施するための最良の形態】
【０００９】
以下、本発明の一実施形態について図面に従って説明する。
図１は、可動階段１の使用状態を示すものであり、図２は、可動床２を上昇させて可動階段１を不使用状態にしたときを示すもので、可動階段１は、左右両側において（図１及び図２は、一方の側のみを示している）、捩じり剛性の大きな角パイプ又は丸パイプよりなって、各一端を横軸４及び５に軸着したサイズの比較的大きな長杆３ａ及びサイズの比較的小さな長杆３ｂを有し、踏み板６が一定間隔で両端を両長杆３ａ、３ｂに回動可能に軸着して、長杆３ａ、３ｂと踏み板６とで平行四辺形のリンク機構を構成している。そして長杆３ａの他端（下端）には可動床２に着床するコロ７を有し、また手すり８が二本の支柱９によって長杆３ａに固定されている。
【００１０】
横軸４及び５を軸支する軸受１１は図３に示すように、プールサイドに埋設された袋状のナット１２に軸受１１を通してボルト１３を捩じ込むことによって固定され、ボルト１３を弛めることにより取外しできるようにしてあり、ナット１２は図示していないが、プールサイドの適所に数箇所設けられている。
【００１１】
本実施形態の可動階段１は以上のように構成され、可動床２が昇降すると、それに従動して可動階段１がリンク機構の平行四辺形を押し潰し、或いは押し拡げながら踏み板６を水平に維持して持上げられ或いは降下する。
【００１２】
図２は、可動床２が最上位置に持上げられ、可動階段１が水平に持上げられたときの状態を示す。
なお、可動階段１は、軸受１１のボルト１３を適所のナット１２に捩じ込むことによりプールサイドの適所に固定されるようになっている。
【産業上の利用可能性】
【００１３】
本発明の可動階段は、昇降可能な可動床を備えたプールに設置される。
【図面の簡単な説明】
【００１４】
【図１】可動階段の使用状態を示す側面図。
【図２】可動階段の不使用状態を示す側面図。
【図３】可動階段の軸受部を示す断面図。
【符号の説明】
【００１５】
１・・可動階段
２・・可動床
３ａ、３ｂ・・長杆
４、５・・横軸
６・・踏み板
７・・コロ
８・・手すり
９・・支柱
１１・・軸受
１２・・袋状のナット
１３・・ボルト
【図１】
2005273357.tif 000003
【図２】
2005273357.tif 000004
【図３】
2005273357.tif 000005